(57)【要約】【課題】枚葉印刷機シートブレーキ装置において従来の装置に比較してバキュームホイールを使用せず、両横の余白をのぞき全面印刷を汚れの心配をせず、両横の余白をのぞく全面印刷が可能なシートブレーキ装置を提供する。【解決手段】チェーングリッパー（１）が印刷紙（Ｐ）を放したときより紙当（５）に当たる間にタイミングをとって、紙案内コロ（１３）と紙押さえコロ（１２）との間に印刷紙（Ｐ）をはさんで、両横の余白２ヶ所にてシートブレーキをかけるよう構成している。【選択図】    図４
2004195954.tif 000002
【特許請求の範囲】
【請求項１】
印刷機の排紙胴（２）からチェーングッリパー（１）により排紙台（６）まで印刷紙が搬送される装置において、印刷紙の両横の余白（１１）の２箇所だけで、紙押さえコロ（１２）は印刷紙（Ｐ）を横方向でかわしてチェーングリッパー（１）を印刷紙のしたＢの位置でかわしてから印刷紙（Ｐ）の上Ｃの位置にあげて、横方向の動きで印刷紙の両横の余白（１１）の所を紙案内コロ（１３）との間にはさんでシートブレーキをかけ横方向の動きで印刷紙（Ｐ）をかわし、チェーングリッパー（１）をかわすことで印刷紙を排紙台（６）の上に整然と積み揃えていくことを特徴とする枚葉印刷機のデリバリーシートブレーキ装置。
【発明の詳細な説明】
【０００１】
【発明の属する技術分野】
この発明は、排紙胴よりチェーングリッパーで印刷紙を排紙台まで搬送する枚葉印刷機に関する。
【０００２】
【従来の技術】
従来公知の枚葉印刷機のデリバリーシートブレーキ装置として、エアーバキュームホイールに印刷紙を吸いつけてエアーバキュームホイールをモーターにて駆動し本機のスピードに対してエアーバキュームホイールのスピードをモーターにて調節してシートブレーキをかける装置がある。
【０００３】
【発明が解決しようとする課題】
現在枚葉印刷機には、片面印刷から両面印刷へと切り替わる大きな流れがある。上記の装置のように、片面印刷の場合には裏面に印刷しないのでバキュームホイールに吸いつけても問題はなかった。しかし、両面印刷をする場合には裏面にも印刷されるのでインキが乾かないうちにバキュームホイールに吸いつけると、印刷面に汚れの問題が起きてくる。インキが乾くには時間がかかり、印刷能率が著しく低下する。
このように、従来の両面印刷機では、裏面の両横の余白以外を、全面印刷しようとすると非常に困難かつ能率が悪かった。
【０００４】
またバキュームホイールの幅を狭くして解決する方法も考えられるが、それでも印刷面に８ｍｍぐらいの余白を何本か作って、その部分にバキュームホイールをセットしなければ両面を印刷することはできない。以上の問題点に鑑み枚葉印刷機の両面印刷で慣性に対してシートブレーキをかけ両横の余白をのぞき全面印刷が可能なシートブレーキ装置を提供することを目的とする。
【０００５】
【問題を解決するための手段】
上記の目的を達成するために、本発明枚葉印刷機のデリバリーシートブレーキ装置は、印刷装置のスピードによる印刷紙の慣性を打ち消すために従来のようにバキュームホイールに吸いつけることをせず、バキュームホイールのかわりに、ほとんどの印刷紙にある両横の余白を抑えるために２か所紙案内コロと紙押さえコロをもうける。紙押さえコロは印刷紙を横方向でかわし、チェーングリッパーを印刷紙の下でかわしてから印刷紙の上にあげて、横移動し印刷紙の横の余白部分で、紙案内コロとの間に印刷紙をはさんでシートブレーキをかけ、横方向に印刷紙をかわし、チェーングリッパーをかわす。また印刷紙のスピードの変化に従って紙案内コロをモーターのスピードを変化させて調節する。
【０００６】
【実施例】
発明の実施形態を実施例に基づき図面を参照して説明する。図１は従来のバキュームホイールを装着したデリバリーシートブレーキ装置の概略図面である。
図２は従来のバキュームホイールを装着したデリバリーシートブレーキ装置の概略図面である。
図３は従来のバキュームホイールの概略図面である。
図１において印刷紙（Ｐ）は排紙胴（２）よりチェーングリッパー（１）により搬送され排紙台（６）の上に整然と積みそろえていく、紙当（５）横紙当（７）後紙当（８）は印刷紙を整然と積みそろえるための定規である。
【０００７】
印刷紙のスピードによる慣性をとめるためにバキュームホイール（３）に印刷紙を吸いつけてモーター（４）によってバキュームホイール（３）を駆動し印刷紙のスピードにより、モーター駆動のスピードを調節することにより、シートブレーキをかけ印刷紙を整然と積みそろえることができるのである。
【０００８】
もしバキュームホイールを使用しない場合は印刷紙（Ｐ）のスピードの慣性で印刷紙を整然とそろえることはできない。
【０００９】
図２は装置の平面図でバキュームホイールをセットする場所である。
【００１０】
印刷紙の裏面にバキュームホイールをセットできる場所が必要になる。よって、印刷部分（１０）印刷余白部分（１１）がどうしても必要になり、裏面の両横の余白部分をのぞく全面印刷ができない。従って余白部分の印刷紙が無駄になるのである。
【００１１】
図４は本発明のデリバリーシートブレーキ装置の概略図面である。図５は本発明のデリバリーシートブレーキ装置の概略図面である。図６は本発明の紙押さえコロ部分の概略図面である。図７は本発明の紙押さえコロ作動部分の概略図面である。
【００１２】
紙案内コロ（１３）はモーター（４）により駆動される。印刷紙（Ｐ）のスピードに対し紙案内コロのスピードをモーターにて調節する。
紙押さえコロ（１２）は（Ｂ）の位置で印刷紙（Ｐ）を横移動カム（２１）により印刷紙（Ｐ）を横方向でかわし、（Ｂ）の位置でグリッパーをかわし、印刷紙（Ｐ）の上へ（Ｃ）の位置まで上げてから横方向移動カム（２１）により印刷紙の両横の余白（１１）の所まで移動し、紙押さえコロ（１２）を作動カム（１６）により（Ａ）の位置まで下げ紙案内コロ（１３）との間に印刷紙（Ｐ）をはさんでシートブレーキをかけ、横方向移動カム（２１）により横方向へ移動し（Ｂ）の位置にもどる。
【００１３】
【発明の効果】
本発明の枚葉印刷機のデリバリーシートブレーキ装置は、チェーングリッパー（１）が印刷紙（Ｐ）を放した時より紙当（５）にタイミングを取って紙案内コロ（１３）と紙押さえコロ（１２）の間に印刷紙（Ｐ）をはさみ両横２ヶ所の余白の所でシートブレーキをかける。従来のバキュームホイール（３）に吸いつけて印刷紙（Ｐ）のスピードによる慣性にシートブレーキをかける装置では、両面印刷をする場合従来の裏面両横の余白部分を除き、汚れの問題があり全面印刷することは無理である。
本発明は、印刷紙のほとんどに両横に余白があることを利用して、汚れのもとのバキュームホイールを使用せず、紙案内コロと紙押さえコロとの間に印刷紙をはさみ、両横の余白２ヶ所のみでシートブレーキをかけるので汚れの問題がない。
よって、裏面に両横の余白をのぞく全面印刷できる。本発明によれば、両横の余白以外は全面印刷が可能になる効果がある。
【図面の簡単な説明】
【図１】従来のデリバリーシートブレーキ装置の側面図
【図２】従来のデリバリーシートブレーキ装置の正面図
【図３】バキュームホイールの側面図
【図４】本発明のデリバリーシートブレーキ装置の側面図
【図５】本発明のデリバリーシートブレーキ装置の正面図
【図６】本発明の紙押さえコロの平面図
【図７】本発明の紙押さえコロ分の平面図
【符号の説明】
１  チェーングリッパー
２  排紙胴
３  バキュームホイール
４  モーター
５  紙当
６  排紙台
７  横紙当
８  後紙当
９  紙押さえコロ
１０  印刷部分
１１  印刷余白部分
１２  紙押さえコロ
１３  紙案内コロ
１４  フレーム
１５  移動ガイド
１６  作動カム
１７  駆動スプロケット
１８  横方向作動レバー
１９  上下作動コロレバー
２０  横方向移動用ロット
２１  横方向作動カム
Ｐ  印刷紙
【図１】
2004195954.tif 000003
【図２】
2004195954.tif 000004
【図３】
2004195954.tif 000005
【図４】
2004195954.tif 000006
【図５】
2004195954.tif 000007
【図６】
2004195954.tif 000008
【図７】
2004195954.tif 000009